(57)【特許請求の範囲】
【請求項１】
短繊維状の合成高分子で成る人工毛が収容された容器本体と、該容器本体に収容された人工毛を吐出するための複数の孔部を有して前記容器本体の上端開口部に装着される多孔状の目皿と、前記容器本体の上端開口部を覆う着脱自在なキャップとを具備して成る収納容器において、前記目皿が所定の間隔をあけて対向する第一目皿と第二目皿との二重構造とされ、前記第一目皿は容器本体の上端開口部内側に嵌合されると共に、前記第二目皿は容器本体の上端開口部外側に嵌合され、更に前記第一目皿はその各孔部が第二目皿の各孔部よりも孔径が大きく設定され、前記第二目皿の上面部にはその外周に沿って環状の突条が形成され、その突条が前記キャップの内側上面部に密着するよう構成される収納容器。
【発明の詳細な説明】
【０００１】
【発明の属する技術分野】
本発明は、短繊維状の合成高分子で成る人工毛を対象物に振りかけるのに用いられる散布式の容器に係わり、特に内容物の残量に拘わらずこれを少しずつ定量的に吐出させ得るようにした収納容器に関する。
【０００２】
【従来の技術】
従来、短繊維状の人工毛ほか、塩や胡椒といった粉粒体を収納する容器として図１１に示すようなものが知られ、一般に広く普及している。図１１において、Ｄは粉粒体を収容するための容器本体であり、この容器本体Ｄはガラスやプラスチック製にして上部に粉粒体を導入するための開口部ｄが形成される。Ｍは開口部ｄに装着される多孔状の目皿であり、この目皿Ｍには容器本体Ｄに詰められた粉粒体を吐出するための孔部ｈが所定の開口率で複数個穿設される。又、Ｃは容器本体Ｄの上部に取り付けられる着脱自在なキャップであり、このキャップＣは容器本体Ｄの開口部ｄを覆って内容物の飛散や外部からの異物の混入を防止する働きをする。
【０００３】
そして、以上のような収納容器によれば、キャップＣを外して容器本体Ｄを逆さにしながら上下に振ることにより、粉粒体で成る内容物を対象物上に適量ずつ撒き散らすことができる。
【０００４】
【発明が解決しようとする課題】
然し乍ら、上記のような散布式の従来容器によれば、内容物の残量が減るにしたがって容器本体内での内容物の落差が大きくなるため、その内容物が勢い余って目皿の孔部から一度に過剰に吐出してしまうという難点があった。
【０００５】
又、これに鑑み目皿の開口率や孔径を小さく設定すると、内容物の残量に拘わらずその吐出性が低下してしまい、特に残量の多い段階では目詰まりを生じて内容物が全く吐出されなくなるという問題があった。
【０００６】
本発明は以上のような事情に鑑みて成されたものであり、その目的は粉粒体である短繊維状の人工毛を対象物上に散布するのに用いる容器にして、係る人工毛をその残量に拘わらず少しずつ定量的に吐出させ得るようにすることにある。
【０００７】
【課題を解決するための手段】
本発明は上記目的を達成するため、短繊維状の合成高分子で成る人工毛が収容された容器本体と、該容器本体に収容された人工毛を吐出するための複数の孔部を有して前記容器本体の上端開口部に装着される多孔状の目皿と、前記容器本体の上端開口部を覆う着脱自在なキャップとを具備して成る収納容器において、前記目皿が所定の間隔をあけて対向する第一目皿と第二目皿との二重構造とされ、前記第一目皿は容器本体の上端開口部内側に嵌合されると共に、前記第二目皿は容器本体の上端開口部外側に嵌合され、更に前記第一目皿はその各孔部が第二目皿の各孔部よりも孔径が大きく設定され、前記第二目皿の上面部にはその外周に沿って環状の突条が形成され、その突条が前記キャップの内側上面部に密着するよう構成されることを特徴とする。
【０００８】
【発明の実施の形態】
以下、本発明の適用例を図面に基づいて詳細に説明する。先ず、図１に本発明の好適な態様として係る収納容器の側面図を示す。図１において、１は所定の容積を有する容器本体であり、その内部には短繊維状の人工毛が収容される。尚、容器本体１はガラスやプラスチックなど様々な材料から形成できるが、これをＥＶＡ、軟質ＰＥ、ポリブテンほか、基材に可塑剤を加えた弾性変形可能な軟質合成樹脂製にして、内容物をスクィーズ操作で吐出させることができる。
【０００９】
又、２は容器本体１の上部に取り付けられる着脱自在なキャップであり、このキャップ２は非使用時に容器本体１の上部に取り付けて容器本体１内への異物の混入や内容物の飛散を防止する働きをする。
【００１０】
次に、図２は容器本体を示す。この図で明らかなように、容器本体１の上部には外周に雄ネジ部Ｓ１をもつ円筒状のネック３が形成され、その内側が容器本体１内へ人工毛を導入するための上端開口部４とされている。
【００１１】
次に、図３は同容器の斜視分解図を示す。図３において、５は容器本体１の上端開口部４に装着される多孔状の目皿であり、これは上下に相対向して組み合わされる第一目皿５Ａと第二目皿５Ｂとで構成される。
【００１２】
図４は第一目皿を示した平面図であり、図５には図４におけるＸ−Ｘ線断面を示す。ここに、第一目皿５Ａはポリプロピレンやポリスチレンといったプラスチックから一体成形される円形体で成る。特に、この第一目皿５Ａは円盤状を成す底面部６と、この底面部の周縁より直角に立ち上がる環状壁７と、この環状壁の上端より水平に張り出す鍔部８とを有し、このうち底面部６には方形状の孔部９が縦横に所定の間隔をあけて穿設される。尚、本例において、第一目皿の孔部９は一辺２mmの正方形にして全部で５２個穿たれており、その開口度は上端開口部４に対して１５〜２５％に設定されている。
【００１３】
図６は第二目皿を示した平面図であり、図７には図６におけるＸ−Ｘ線断面を示す。ここに、第二目皿５Ｂもポリプロピレンやポリスチレンといったプラスチックから一体成形される円形体で成る。特に、この第二目皿５Ｂは円盤状を成す上面部１０と、この底面部の周縁より直角に垂下する環状壁１１とを有し、その環状壁１１の内面にその周方向に沿って環状を成す鉤部１２が一連に形成されるほか、上面部１０の表面にはその外周に沿って環状を成す突条１３が一連に形成される。又、上面部１０には突条１３の内側で円形の孔部１４が縦横に所定の間隔をあけて穿設される。尚、本例において、第二目皿５Ｂの孔部１４は直径１．３mmの丸孔にして全部で１７６個穿たれており、その開口度は第一目皿５Ａとほぼ同じく、容器本体１の上端開口部４に対して１５〜２５％に設定されている。
【００１４】
図８は、以上のような目皿を容器本体の上端開口部に装着した状態を示す部分断面図である。この図で明らかなように、第一目皿５Ａは容器本体１の上端開口部４の内側に嵌合され、その環状壁７が上端開口部４の内周面に密着しながら鍔部８が上端開口部４の開口縁上に着座するようになっている。
【００１５】
一方、第二目皿５Ｂは、第一目皿５Ａの上方で上端開口部４の外側に嵌合される。尚、図９に明示されるように、容器本体の上端開口部４を形成するネック３には、その上部外周に環状を成す突条１５が形成され、この突条１５に第二目皿５Ｂの鉤部１２が係止するようにしてある。又、図９から明らかなように、第二目皿５Ｂの突条１３はキャップ２の内側上面部に密着し、これによって容器本体１の上端開口部４が密封されるようにしてある。
【００１６】
尚、図８及び図９のように、キャップ２の内周面にはネック３の雄ネジ部Ｓ１に対応する雌ネジ部Ｓ２が形成され、これによって容器本体１の上端開口部４を覆うキャップ２の着脱が可能とされるが、キャップ２をネジ式とすることに限らず、これを第二目皿５Ｂのように凹凸の噛み合わせによるワンタッチの着脱方式にしても良い。
【００１７】
次に、以上のように構成される容器の作用を説明する。図１０はその使用状態を示した概略図であり、Ｈは人工毛の散布対象として使用者の頭部を示す。尚、本例において、容器本体１には着色を施した短繊維状の合成高分子化合物で成る人工毛Ｐが収容される。ここに、その種の人工毛Ｐを頭部Ｈに振りかけるには、先ずキャップ２を外し、頭部Ｈ上で容器本体１を逆さまにしながらこれを上下に振るか、若しくはこれを適当な高さに保ったままスクィーズする。
【００１８】
このとき、人工毛Ｐは最初に第一目皿５Ａに当たり、その一部が第一目皿５Ａの孔部９を透過して第二目皿５Ｂ上に落下し、次いで第二目皿５Ｂ上の人工毛Ｐがその孔部１４を透過して外部に吐出し、これが頭部Ｈ上に少しずつ堆積するようになる。
【００１９】
このように、係る容器によれば目皿５を二重構造にしたことから、人工毛の残量が減ってきた場合も、内側の第一目皿５Ａが人工毛の落下速度を緩和するクッションの役割を果たすので、人工毛が一度に過剰に吐出してしまう事がなく、しかも第一目皿５Ａと第二目皿５Ｂの孔径を異ならせ、内側の第一目皿５Ａの各孔部９を第二目皿５Ｂの各孔部１４より相対的に大きく設定しているため、粉粒体の残量が多い場合もこれを目詰まりさせず良好に吐出させる事ができる。
【００２０】
以上、本発明の適用例を説明したが、係る容器において第一目皿５Ａと第二目皿５Ｂにおける孔部９，１４の形態は上記例に限らず、その穿設数も適宜変更可能であること勿論である。
【００２１】
【発明の効果】
以上の説明から明らかなように、本発明によれば容器本体の上端開口部に装着される多孔状の目皿を相対向する第一目皿と第二目皿との二重構造としていることから、容器本体内の人工毛の残量が少ない場合も、これが勢いよく一度に過剰に吐出するのを防止できる。又、第一目皿と第二目皿の孔部の大きさを異ならせているので、粉粒体の吐出量調整を細かく設定でき、しかも容器本体における上端開口部の内側に嵌合する第一目皿がその外側に嵌合する第二目皿より孔部を大きく設定されるため、人工毛の残量が多い場合でもこれを目詰まりさせる事なく良好に吐出させることができる。
【図面の簡単な説明】
【図１】本発明に係る粉粒体収納容器を示した側面図
【図２】キャップを取り外した容器本体の側面図
【図３】同容器の斜視分解図
【図４】第一目皿の平面図
【図５】図４におけるＸ−Ｘ線断面図
【図６】第二目皿の平面図
【図７】図６におけるＸ−Ｘ線断面図
【図８】本発明に係る容器の上部断面図
【図９】同容器の一部を部分的に拡大して示した断面図
【図１０】同容器の使用例を示した説明図
【図１１】従来容器の概略図
【符号の説明】
１  容器本体
２  キャップ
３  ネック
４  上端開口部
５  目皿
５Ａ  第一目皿
５Ｂ  第二目皿
６  底面部
７  環状壁
８  鍔部
９  孔部
１０  上面部
１１  環状壁
１２  鉤部
１３  突条
１４  孔部
１５  突条
【図１】
0003594580.tif 000002
【図２】
0003594580.tif 000003
【図３】
0003594580.tif 000004
【図４】
0003594580.tif 000005
【図５】
0003594580.tif 000006
【図６】
0003594580.tif 000007
【図７】
0003594580.tif 000008
【図８】
0003594580.tif 000009
【図９】
0003594580.tif 000010
【図１０】
0003594580.tif 000011
【図１１】
0003594580.tif 000012